(57)【要約】【課題】  炬燵天板からはみ出す炬燵カバーを着脱自在にして、洗濯しやすくする炬燵カバーを提供する。【解決手段】  任意の炬燵天板の下に配置され周縁が天板よりはみ出す形状、大きさのセンター部材と、該センター部材の幅に近似した幅の接続辺を有する側面部材と、前記センター部材と前記各側面部材が着脱機構を介して着脱可能とする構成よりなる。【選択図】        図１
2006017441.tif 000002
【特許請求の範囲】
【請求項１】
任意の炬燵天板の下に配置され周縁が天板よりはみ出す形状、大きさのセンター部材と、該センター部材の幅に近似した幅の接続辺を有する側面部材と、前記センター部材と前記各側面部材を着脱機構とよりなる炬燵覆い具。
【請求項２】
センター部材に炬燵の脚部を固定する脚部固定手段を設けたことを特徴とする請求項１記載の炬燵覆い具。
【請求項３】
各側面部材の側部に隣接する側面部材と開閉可能に着脱する側辺着脱機構を設けたことを特徴とする請求項１又は２記載の炬燵覆い具。
【請求項４】
食べかすや任意の小物などを収納する袋部を有するシート片よりなる前記センター部材に着脱機構を介して着脱可能とした補助部材を具備することを特徴とする請求項１、２又は３記載の炬燵覆い具。
【請求項５】
センター部材に側面部材あるいは補助部材着脱用の着脱手段を別途設けたことを特徴とする請求項１、２、３又は４記載の炬燵覆い具。
【請求項６】
センター部材あるいは側面部材の少なくとも一方が防水手段を有することを特徴とする請求項１、２、３、４又は５記載の炬燵覆い具。
【発明の詳細な説明】
【技術分野】
【０００１】  本発明は、天板を取り外すことなく側面部材を取り外して、洗濯や収納等を可能にした炬燵覆い具に関する。
【従来技術】
【０００２】  従来の炬燵覆い具は、一枚の大きな布団又は布であった。
そのため、一部分が汚れても、全体を取り外して洗濯しなければならず、着脱の際には、その都度、重たい天板を持ち上げて作業しなければならなかった。また、全体が大きいため、洗濯や乾燥、収納が不便であった。
天板を炬燵覆い具の上に置いた状態で炬燵覆い具に着脱する布団カバーとしては、特開２０００−２７０９８９に示すように、天板部を露出するために上面に天板用開口部を設け、布団全体を入れるための下開口部と開口部を締め付けるゴムから構成されるものがあった。
また、天板を炬燵覆い具および炬燵カバーの上に置いた状態で側面カバー部を着脱できる炬燵カバーとしては、特開２０００−１２１０６７があった。これは、炬燵覆い具の上に掛けて使用するもので、長方形状で二つ折り式にすることで長さ調整できる機能も具備していた。
【特許文献１】  特開２０００−２７０９８９
【特許文献２】  特開２０００−１２１０６７
【発明が解決しようとする課題】
【０００３】  以上の問題点を踏まえ、この発明では、以下の課題を解決することを目的とする。
特許文献１にあっては、カバーの一部が汚れた場合、カバー全体を取り外す作業が必要であった。この際、布団全体を巻き上げたり操作する必要性があり、その重量は天板の比ではなかった。
特許文献２にあっては、炬燵覆い具をカバーしているが、その側面から炬燵覆い具を汚す可能性があった。炬燵覆い具が汚れた場合、カバー全体をはずさなければいけないので、天板を必ずはずさなければいけなかった。
また、特許文献２にあっては、天板下に位置するセンター部材に直接着脱機構が設けられた技術しか開示されておらず、この際、着脱にあたって天板を若干持ち上げる必要性があった。また、一部側面部材を伸ばした場合、他の着脱機構部との高低さが生じ、天板の安定性に欠け、その結果容器を倒したりして汚れを発生させる原因をも引き起こしていた。
特許文献１、２に共通していえるのは、あくまでもカバーであり、布団自体の汚れや収納に対しての処置は従来と同じ欠点を有する。
また、炬燵に対して布団自体の安定性にかけ、炬燵からずれることがあった。
本発明は、以上の課題を解決するものである。
【課題を解決するための手段】
【０００４】  本発明は、任意の炬燵天板の形状、大きさにあわせたセンター部材と、該センター部材の各辺に天板からはみ出すように設けられた接続部材と、該接続部材の幅に近似した幅の接続辺を有する側面部材と、前記接続部材と前記各側面部材が着脱機構を介して着脱可能とにより構成されている。
また、センター部材に炬燵の脚部を固定する脚部固定手段を設けて、炬燵覆い具の安定を図るようになっている。
【発明の効果】
【０００５】  以上の説明から明らかなように、本発明により、以下に列挙するような効果が得られる。
本発明により、炬燵天板の真下にセンター部材を配置しておけば、天板の各辺にはみ出すように設けられたセンター部材側の接続部材とそれに対応する側面部材側の接続部材を介して、天板を持ち上げることなく、側面部材が、自在に着脱できる。これにより、従来最も汚れやすかった、側面部の洗濯、交換、セットが簡単になった。
本発明は、四面にそれぞれ側面部材が配置されているため、汚れた部材だけを取り外し、洗濯したり、スペア部材と交換したりすることができる。
本発明は、従来一枚の大きな布団であった炬燵覆いを、天板下のセンター部材と４面の側面部材に分割し構成していることから、各部材は、従来の炬燵覆いと比べて小さく軽い。そのため着脱作業は大変簡単になり、従来、家庭用洗濯機では困難だった洗濯や、乾くまで時間がかかった物干しが容易になった。
部材毎に分割して収納できるので、従来場所をとっていた収納が容易になった。
脚部固定部材を用いることにより、センター部材とそれに延接される側面部材をずれないように固定することができる。
センター部材側の接続部材を多重に設けることで、寒さに応じて、側面部材を重ねて取り付けたり、従来の炬燵覆いとは異なる機能を持つ補助部材を重ねて、あるいは単独で、取り付けることができる。
側辺着脱部材で、隣合う側面部材の隙間を塞ぐことで、従来の炬燵覆いと変わらない保温力を発揮できる。
従来の炬燵覆いの上にカバーとして利用することもできる。
袋部を有し前記センター部材に着脱機構を介して着脱可能とした補助部材を具備することにより、食べかすが床に落ちるのを防ぐとともに、リモコン等の任意の小物などを収納するが可能となった。
センター部材および側面部材が防水手段を有することにより、飲料などをこぼした際の汚れを回避することができた。
【発明を実施するために最良の形態】
【０００６】  以下、本発明の実施の形態について、図１〜図７を用いて説明する。
図１は本発明の分解図、図２はセンター部材の底面図、図３はセンター部材取付の説明図、図４はセンター部材を炬燵にセットした斜視図、図５は本発明の下方からみた使用説明図、図６は本発明の使用状態図、図７は本発明の使用状態説明図である。
本発明は、任意の炬燵天板の形状、大きさにあわせたセンター部材１と、該センター部材の各辺に天板からはみ出すように設けられた接続部材２と、該接続部材の幅に近似した幅の接続辺を有する側面部材３と、前記接続部材と前記各側面部材を着脱可能にする着脱機構とにより構成されている。
図１に示すように、センター部材１は正方形の炬燵用のもので、ほぼ同じ大きさの正方形となっており、各辺に２重となるように接続部材２がそれぞれ設けられている。接続部材２の先端にはそれぞれファスナー４ａが設けられている。この事例においては、正方形の天板を有する炬燵に対応させたものだが、長方形の天板の炬燵に対しては、センター部材が長方形となる。
本事例においては、８つの側面部材３が利用されている。これは、接続部材２と同幅の接続部を有し、ここに前記ファスナー４ａと着脱するファスナー４ｂが設けられている。また、側面部材３は、接続部から幅が広がる台形状となっている。側面部材３のそれぞれの側辺には、紐５がそれぞれ設けられている。これは、隣の側面部材３の紐５と結ぶものであり、結ぶことにより広がり隙間ができるのを防ぐものである。
センター部材１の裏面の四隅には、図２に示すように、ベルト状の脚部固定部材１０が設けられている。これは一端がセンター部材１に縫着されており、多端側にセンター部材と着脱する留め具１１が設けられている。
本発明は、以上の構成よりなる。使用方法について、以下説明する。
本発明を使用するときは、図３に示すように炬燵天板６を持ち上げ、センター部材を天板の真下にくるよう配置した上で、天板を戻す。この際、接続部材２は炬燵天板６の周辺にはみ出すように配置される。次に脚部固定部材１０の留め具１１をセンター部材１から外し、図４に示すように、センター部材裏面の脚部固定部材１０を各炬燵脚に回しこんで留め具１１により固定する。これを全体に固定した状態で下から見たのが図５であり、４本の脚部に対して脚部固定部材１０で固定されているため、センター部材及び、延接されている側面部材をズレないように固定することができる。
次に、図６、図７に示すようにセットされたセンター部材１の接続部材２にそれぞれに対応する側面部材３をファスナー４により取り付ける。この際、センター部材側の接続部材２が多重に設けられているため、側面部材３を一重、多重の取り付けを状況により使いわけることが可能である。これにより、温度に応じて枚数を変えることが可能となる。また、側面部材３として、布団や毛布などの素材で作ったり、最表面に防水素材を利用したものなどを利用することにより、状況に応じて組み合わせを変えることで様々な状況に利用できる。
また、側辺着脱部材である紐５により、側面部材同士を着脱することが可能で、隣り合う側面部材間の隙間をふさぐことができる。側辺着脱部材としては、紐に限定されず、ボタンや面ファスナー、ファスナーなどでもよい。
なお、図７に示すように、センター部材側に接続部材２とファスナー４を覆い隠すために接続部材防汚カバー９を設けてもよい。この際、接続部材防汚カバー９が、接続部材２とファスナー４を覆い隠すことで、接続部材の汚れを防ぐことができる。
以上の構造により、従来の炬燵覆いと異なり、一度、センター部材を取り付ければ、あとは、天板を持ち上げることなく、側面部材のみを着脱できる。汚れた場合は、該当する側面部材のみを取り外し洗濯すればよく、各側面部材は、従来の炬燵覆いと比べて、大変小さいため、容易に洗濯乾燥でき、不要時収納の際も分けてしまえるために便利である。しかも、脚部固定部材を用いれば、４つの炬燵脚に脚部固定部材を使用しているため、センター部材及び、延接される側面部材は、ずれることがなく、また、側辺着脱部材を用いれば、側面部材間の隙間もふさいで、従来の炬燵覆いと同等の保温効果を得ることができる。
【０００７】  また、側面部材の代わりに、従来の炬燵覆いとは異なる機能を持つ、補助部材を取り付けることも可能である。補助部材の各種応用事例を図８から図１０を利用して説明する。いずれも、センター部材側の接続部材２に対応する補助部材側のファスナー４ｂを有し、接続機構を介して、センター部材１と着脱できる。
図８は、食べこぼしをキャッチするポケットを下底部に設けた補助部材１３ａを取り付けたもので、小さな子どものいる家庭、老人や病人を介護する家庭などで便利に利用できる。飲食時のみ利用し、後片付けの時には、取り外して、食べこぼしを始末できる。この補助部材１３ａに関しては、表面に防水素材をもちいたり防水加工を施すことにより汚れ防止はもちろん、洗濯がやりやすくなる。
図９は、新聞やリモコン、ティッシュペーパーなどを収納できる小物入れを有する補助部材１３ｂを取り付けたものである。ポケットが設けられており、炬燵周りに小物を収納、取り出すことができる。ポケットは、用途に応じて各種サイズ、形状が可能である。図に示された事例では、テレビのリモコンを入れるポケットと本や新聞などを入れるポケットが記載されている。座る人数が増えたとき、不要になったときは、いつでも取り外し可能である。
図１０は、接続部材２のファスナー４ａと着脱できるファスナー４ｂを有する接続部材１２に、おもちゃを取り付けた補助部材１３ｃに関するものである。例えば、炬燵周りでハイハイやよちよち歩きの子どもを遊ばせたり、ペットを遊ばせるときなどに活用できる。不要時はいつでも取り外しできる。
いずれの補助部材１３も、側面部材を外した夏場などでも、センター部材さえ取り付けておけば、単独で利用することもできるし、センター部材側の接続部材が多重なら、側面部材の上に重ねて利用することもできる。
前記各補助部材は、いずれも、例であり、センター部材側の接続部材２のファスナー４ａに対応する、補助部材側のファスナー４ｂさえ有していれば、他にも、様々な機能を持つ、補助部材を取り付けることが可能である。
上記、各実施例としては、補助部材を利用したり、側面部材を多重に接続することを目的のものを例としてあげたが、側面部材だけの単層の構造であっても、最低限の目的は達成できる。
また、接続部材２との着脱機構として、全てファスナーを利用した事例で説明してきたが、着脱機構としてはこれに限定されず、面ファスナー、ボタンとボタンホール、スナップ等従来着脱機構として認知され本発明の目的に適したものであれば、その機構は問わないものである。あわせて、炬燵脚部に固定するセンター部材の留め具、側辺着脱部材に関しても同様である。
【０００８】  本発明を従来の炬燵覆いの上にカバーとして利用した事例について、図１１〜図１３をもちいて説明する。図１１は、本発明の使用状態図、図１２は本発明の断面状態図、図１３は本発明の分解図である。
本発明はセンター部材１の接続部材２として四方にそれぞれ一つ設け、一重構造としたものである。
これを利用するときは、炬燵天板を持ち上げ、従来の炬燵覆いを敷き、その上に天板の真下に配置されるようにセンター部材を配置し、炬燵天板をもとに戻して、側面部材を取り付ける。これにより、従来の炬燵覆いの上を側面部材や補助部材が覆う。この場合、脚部固定部材は利用できず、従来の炬燵覆い自体の洗濯や収納は、天板を外して行わなければならないが、従来の炬燵覆いカバーと比べると、汚れた際の着脱や洗濯、乾燥などは、格段に便利である。
【図面の簡単な説明】
【０００９】
【図１】本発明の分解図
【図２】センター部材の底面図
【図３】センター部材取付の説明図
【図４】センター部材を炬燵にセットした斜視図
【図５】本発明の下方からみた使用説明図
【図６】本発明の使用状態図
【図７】本発明の使用状態説明図
【図８】側面の一部に補助部材をセットした状態の斜視図
【図９】側面の一部に補助部材をセットした状態の斜視図
【図１０】側面の一部に補助部材をセットした状態の斜視図
【図１１】本発明の使用状態図
【図１２】本発明の断面状態図
【図１３】本発明の分解図
【記号の説明】
【００１０】１  センター部材、
２  接続部材、
３  側面部材、
４；４ａ；４ｂ  ファスナー、
５  紐、
６  炬燵天板、
７  炬燵脚、
８  炬燵やぐら部、
９  接続部材防汚カバー、
１０  脚部固定部材、
１１  留め具、
１２  補助部材側接続部材、
１３；１３ａ；１３ｂ；１３ｃ  補助部材、
１６  従来の炬燵覆い具
【図１】
2006017441.tif 000003
【図２】
2006017441.tif 000004
【図３】
2006017441.tif 000005
【図４】
2006017441.tif 000006
【図５】
2006017441.tif 000007
【図６】
2006017441.tif 000008
【図７】
2006017441.tif 000009
【図８】
2006017441.tif 000010
【図９】
2006017441.tif 000011
【図１０】
2006017441.tif 000012
【図１１】
2006017441.tif 000013
【図１２】
2006017441.tif 000014
【図１３】
2006017441.tif 000015